(57)【要約】【課題】ＬＥＤ発光部を冷却して照明器具の寿命を延ばすとともに、光を照射する前面パネルを自動的に清掃することができる照明器具を提供する。【解決手段】センサ３４がＬＥＤ発光部４０の近傍の温度を検知して検知温度が一定値以上となったら、基板２４におけるＬＥＤ発光部４０が実装された面２４ａとは反対側に配置されたモータ２８が回転して、回転軸２７に支持された回転ファン３２を回転させる。これにより、基板２４における回転ファン３２側の面に送風され、基板２４を介してＬＥＤチップ４２を冷却することができるので、照明器具１０の寿命を延ばすことができる。また、回転軸２７に設けられた接触部材３１が、前面パネル２６の表面２６ａに接触しながら回転するので、ＬＥＤ発光部４０を覆うとともに透光性を有する前面パネル２６の表面２６ａを清掃することができる。【選択図】図２
2011129360.tif 000002
【特許請求の範囲】
【請求項１】
基板と、
前記基板にＬＥＤチップが実装されたＬＥＤ発光部と、
前記ＬＥＤ発光部を覆うとともに透光性を有する前面パネルと、
前記基板における前記ＬＥＤ発光部が実装された面とは反対側に配置されたモータと、
前記基板および前記前面パネルを貫通するとともに前記モータに駆動される回転軸と、
前記回転軸に支持され、前記基板における前記ＬＥＤ発光部が実装された面とは反対側の面に送風する回転ファンと、
前記ＬＥＤ発光部の近傍の温度を検知するセンサと、
前記回転軸に支持され、前記前面パネルの表面に対して接触しながら回転する接触部材とを備え、
前記センサによる検知温度が一定値以上となったときに前記モータが起動する照明器具。
【発明の詳細な説明】
【技術分野】
【０００１】
本発明は、掃除機能付の照明器具に関するものである。
【背景技術】
【０００２】
従来より、光を照射するカバーの外面を清掃するブラシを備えた照明器具がある（例えば特許文献１参照）。
以下、図４により特許文献１に記載の従来の照明器具について説明する。図４に示すように、この照明器具１００は例えば電柱等に取付けられて街灯として使用できるものであり、底部に開口を有する筐体１０１と、筐体１０１の外周面上に貼着された太陽電池１０２と、筐体１０１の内部に設けられた蓄電池１０３、ファン１０４、センサ１０５等を有する。センサ１０５としては、外部の明るさを検知する照度センサや人の動きを検知する人感センサ等が用いられている。
【０００３】
開口を有する筐体１０１の前端部には、多数の発光ダイオード(以後、「ＬＥＤ」という。)１０６がその下面に取付けられた取付板１０７と、ＬＥＤ１０６を保護する透明な発光板１０８が取付けられている。取付板１０７には回転軸１１０が回転可能に取付けられており、回転軸１１０の先端には風車１１１が取付けられている。風車１１１の各翼の上側には、発光板１０８の下面１０８ａに接触するブラシ１０９が取付けられており、風車１１１と一体で回転して発光板１０８を清掃する。
【０００４】
従って、明るいときは太陽光を浴びた太陽電池１０２が発電して蓄電池１０３を充電し、センサ１０５によって周囲が所定の照度以下に暗くなったと検知されると、センサ１０５からの信号に基づいて蓄電池１０３の電力によりＬＥＤ１０６を駆動して、面状の光源としての発光板１０８が光を発する。あるいは、センサ１０５が人を検知した場合にＬＥＤ１０６を点灯させるようにすることもできる。
これにより、蓄電池１０３の消費電力を抑えることができ、商用電源を用いることなく長時間にわたって照明することができる。
【０００５】
また、筐体１０１の上部に設けられたファン１０４は、太陽電池１０２または蓄電池１０３からの電力により回転し、筐体１０１の上部に設けられている開口(図示省略）から吸気して、取付板１０７および発光板１０８に設けられた通風孔(図示省略）に向かって送風することにより、蓄電池１０３を空冷する。
これにより、ファン１０４が蓄電池１０３を冷却するので、蓄電池１０３の劣化を抑えることができ、蓄電池１０３は長期にわたって安定的に電力を充電あるいは供給することができる。
【０００６】
また、自然風によって風車１１１が回転すると、風車１１１の各翼に設けられているブラシ１０９が回転して発光板１０８の下面１０８ａを清掃するので、照明器具１００の清掃にかかる作業負担を軽減することができ、電柱等の高所への取付けに適する。
なお、風車１１１を、太陽電池１０２または蓄電池１０３を電源として稼動させることもできる。
【先行技術文献】
【特許文献】
【０００７】
【特許文献１】特開２００７−１８８６８５号公報（第２図）
【発明の概要】
【発明が解決しようとする課題】
【０００８】
しかしながら、前述した特許文献１に記載の照明器具１００においては、ファン１０４は主に蓄電池１０３を冷却するものであり、ＬＥＤ１０６の冷却が必ずしも十分に行われていない。すなわち、ファン１０４はＬＥＤ１０６の温度とは無関係に稼動しているので、ＬＥＤ１０６の温度が低い場合に稼動して無駄に電力を消費したり、ＬＥＤ１０６の温度が高い場合に稼動せずに、ＬＥＤ１０６を適正に冷却していない場合がある。
このため、ＬＥＤ１０６の寿命を左右するジャンクション温度（ＰＮ接合部の温度）を所定値以下に抑えることができない場合があり、照明器具１００の寿命を十分に延ばすことができていないという問題があった。
【０００９】
本発明は、従来の問題を解決するためになされたもので、ＬＥＤ発光部を冷却して照明器具の寿命を延ばすとともに、光を照射する前面パネルを自動的に清掃することができる照明器具を提供することを目的とする。
【課題を解決するための手段】
【００１０】
本発明の照明器具は、基板と、前記基板にＬＥＤチップが実装されたＬＥＤ発光部と、前記ＬＥＤ発光部を覆うとともに透光性を有する前面パネルと、前記基板における前記ＬＥＤ発光部が実装された面とは反対側に配置されたモータと、前記基板および前記前面パネルを貫通するとともに前記モータに駆動される回転軸と、前記回転軸に支持され、前記基板における前記ＬＥＤ発光部が実装された面とは反対側の面に送風する回転ファンと、前記ＬＥＤ発光部の近傍の温度を検知するセンサと、前記回転軸に支持され、前記前面パネルの表面に対して接触しながら回転する接触部材とを備え、前記センサによる検知温度が一定値以上となったときに前記モータが起動する構成を有している。
【００１１】
この構成により、センサがＬＥＤ発光部の近傍の温度を検知して検知温度が一定値以上となったら、基板においてＬＥＤ発光部が実装された面とは反対側に配置されたモータが回転して、回転軸に支持された回転ファンを回転させる。これにより、基板においてＬＥＤ発光部が実装された面とは反対側の面に送風され、基板を介してＬＥＤ発光部チップを冷却することができるので、照明器具の寿命を延ばすことができる。また、回転軸は基板および基板の前方に設けられてＬＥＤ発光部を覆うとともに透光性を有する前面パネルを貫通しており、回転軸には前面パネルの表面に対して接触しながら回転する接触部材が設けられている。このため、回転ファンの回転と同時に接触部材が前面パネルの表面に接触して回転するので、前面パネルの表面を清掃することができる。
【発明の効果】
【００１２】
本発明は、センサがＬＥＤ発光部の近傍の温度を検知して検知温度が一定値以上となったら、基板におけるＬＥＤ発光部が実装された面とは反対側に配置されたモータが回転して、回転軸に支持された回転ファンを回転させるので、基板においてＬＥＤ発光部が実装された面とは反対側の面に送風され、基板を介してＬＥＤ発光部チップを冷却することにより、照明器具の寿命を延ばすことができる。また、回転軸は基板および前面パネルを貫通しており、回転軸には前面パネルの表面に対して接触しながら回転する接触部材が設けられているので、回転ファンの回転と同時に接触部材が前面パネルの表面に接触して回転し、ＬＥＤ発光部を覆うとともに透光性を有する前面パネルの表面を清掃することができるという効果を有する照明器具を提供できる。
【図面の簡単な説明】
【００１３】
【図１】本発明に係る実施形態の照明器具を示す斜視図
【図２】照明器具の一部破断の側面図
【図３】図１中ＩＩＩ方向から見た正面図
【図４】従来の照明器具の断面図
【発明を実施するための形態】
【００１４】
以下、本発明に係る実施形態の照明器具について、図面を用いて説明する。
図１ないし図３に示すように、本発明に係る実施形態の照明器具１０は、下方に開口２１を有する例えば円柱形状の器具本体２０を有し、下端である開口２１の周囲には、器具本体２０から外側へ突出する幅広リング状の鍔部２２を有する。また、器具本体２０の下部には、鍔部２２との間に被取付部である例えば天井１１(図２参照）を挟んで照明器具１０を取付けるために、一対の支持バネ２３、２３が外側に広がって設けられている。
すなわち、鍔部２２が天井１１の下面に当接するとともに、支持バネ２３が天井１１の上面を押圧することにより、天井１１を挟んで照明器具１０を取付ける。
【００１５】
図２に示すように、器具本体１０の内部における開口２１に近い位置には円板状の基板２４が設けられており、基板２４の開口側面(すなわち、下面２４ａ)には、ＬＥＤ発光部４０が実装されている。ＬＥＤ発光部４０は、例えば４個のＬＥＤパッケージ４１を有している。なお、ＬＥＤパッケージ４１は、中心にＬＥＤチップ４２を有するとともに、ＬＥＤチップ４２の前方(下方）に光学レンズ４３を有する。
また、ＬＥＤ発光部４０の前方(下方）には、透光性を有する円板状の前面パネル２６がＬＥＤ発光部４０を覆うように設けられており、器具本体２０の開口２１を塞いでいる。
【００１６】
円板状の基板２４および前面パネル２６の中心を上下方向に貫通して回転軸２７が回転可能に設けられており、回転軸２７の下端には接触部材としてのブラシ３１が前面パネル２６の表面である下面２６ａに接触して設けられている。ブラシ３１は、回転軸２７に支持されるアーム３１ａと、アーム３１ａの上側に設けられて前面パネル２６の下面２６ａに接触する清掃具３１ｂを有する。清掃具３１ｂは、例えば、柔らかなワイヤやスポンジ等で構成され、前面パネル２６を拭った際に傷つけないようにしている。
【００１７】
回転軸２７の上端部は、回転軸２７を回転駆動するモータ２８に連結されている。あるいは、モータ２８の回転軸を回転軸２７とすることもできる。モータ２８は、器具本体２０内部の中央部に取付けられている電源部２９に設けられており、電源部２９から電力を供給される。また、電源部２９は、ＬＥＤチップ４２に電力を供給して、照明器具１０の点灯も制御する。
【００１８】
基板２４と電源部２９との間に位置する回転軸２７の上部には回転ファン３２が設けられており、基板２４においてＬＥＤ発光部４０が実装された下面２４ａとは反対側の上面２４ｂに送風する。基板２４の上面２４ｂと回転ファン３２との間には隙間３３が設けられており、器具本体２０の周壁には、隙間３３と器具本体２０の外部とを連通する通風孔２５が、周方向に所定の間隔で設けられている。
これにより、回転ファン３２が回転した際に、通風孔２５を介して、器具本体２０の内部と外部との空気の流通が行われる(図２中矢印で表示）。
【００１９】
基板２４の上面２４ｂには、隙間３３の温度すなわちＬＥＤ発光部４０の近傍の温度を検知するセンサ３４が設けられている。センサ３４は電源部２９に接続されており、検知信号を電源部２９に送信する。
なお、センサ３４の設置位置は基板２４の上面２４ｂに限らず、ＬＥＤ発光部４０の近傍の温度を適正に検知できる位置に設けることができる。
【００２０】
次に、照明器具１０の動作を説明する。
まず、照明器具１０の電源がＯＮとなると、電源部２９からＬＥＤチップ４２に電力が供給されて点灯し、ＬＥＤ発光部４０が発光する。センサ３４は点灯時におけるＬＥＤ発光部４０の近傍の温度を検知して、電源部２９に検知信号を送り、ＬＥＤ発光部４０の近傍の温度が所定の温度以上と判断された場合には、モータ２８を起動させる。これにより、回転軸２７が回転して回転ファン３２が回転し、基板２４の上面２４ｂに向けて送風する。同時に、ブラシ３１も回転して、前面パネル２６の下面２６ａを清掃する。なお、ＬＥＤ発光部４０の近傍の温度が所定の温度以下と判断された場合には、モータ２８を停止させる。
【００２１】
以上、説明した本発明に係る実施形態の照明器具１０によれば、センサ３４がＬＥＤ発光部４０の近傍の温度を検知して検知温度が一定値以上となったら、モータ２８が回転して回転ファン３２を回転させ、基板２４の上面２４ｂに向けて送風するので、基板２４を介してＬＥＤ発光部４０を冷却することができる。これにより、ＬＥＤチップ４２の温度を低下させ、照明器具１０の寿命を延ばすことができる。
【００２２】
また、回転軸２７は基板２４および前面パネル２６を貫通しており、回転軸２７には前面パネル２６の下面２６ａに対して接触しながら回転するブラシ３１が設けられている。このため、回転ファン３２の回転と同時にブラシ３１が前面パネル２６の下面２６ａに接触して回転するので、前面パネル２６の下面２６ａを清掃することができる。これにより、前面パネル２６の清掃作業を省略することができ、維持管理が容易になり、容易に作業が行われないような高所に本照明器具１０を用いることができる。
【００２３】
なお、本発明の照明器具１０は、前述した実施形態に限定されるものでなく、適宜な変形、改良等が可能である。
【符号の説明】
【００２４】
１０  照明器具
２４  基板
２４ａ  下面（実装された面)
２４ｂ  上面（反対側の面)
２６  前面パネル
２６ａ  下面(表面）
２７  回転軸
２８  モータ
３１  ブラシ（接触部材)
３２  回転ファン
３４  センサ
４０  ＬＥＤ発光部
４２  ＬＥＤチップ
【図１】
2011129360.tif 000003
【図２】
2011129360.tif 000004
【図３】
2011129360.tif 000005
【図４】
2011129360.tif 000006